(57)【特許請求の範囲】
【請求項１】
複数の基地局を介してデータ中継装置から移動端末へデータを転送する際、前記複数の基地局が前記データにシーケンス番号を付与して前記移動端末へ転送する通信システムにおいて、
前記複数の基地局はキャリアアグリゲーション状態で相互に異なる無線周波数を使用して相互に異なるデータを前記移動端末へ送信し、
前記データ中継装置は、
ネットワークから受信した前記移動端末宛ての第１及び第２データをそれぞれ前記複数の基地局のうち異なる基地局へ転送する際、前記第２データよりも先に受信した前記第１データをある基地局に転送し、前記第１及び第２データの受信順序に応じた情報を前記第２データに付して他の基地局に転送する処理を行う第１プロセッサを備え、
前記複数の基地局の各々は、
前記データ中継装置から転送されたデータに前記情報が付されている場合には、前記データに前記情報に基づくシーケンス番号を付与して前記移動端末に転送する処理を行う第２プロセッサを備え、
前記移動端末は、
前記第２プロセッサによる前記転送処理により、前記複数の基地局の各々から前記移動端末へ転送されたデータに付与されたシーケンス番号の連続性を保持して受信する受信部を備えた
ことを特徴とする通信システム。
【請求項２】
前記第１及び第２データの受信順序に応じた情報は、前記第１データのデータ量に応じたオフセット値であり、
前記第１プロセッサは、前記オフセット値を前記第２データに付して前記他の基地局に転送する
ことを特徴とする請求項１に記載の通信システム。
【請求項３】
前記複数の基地局の各々は、データに付与するシーケンス番号の値を保持するメモリを備え、
前記第１プロセッサは、前記複数の基地局間で、前記メモリに保持されるシーケンス番号の連続性を保持する処理を行うことを特徴とする請求項１又は２に記載の通信システム。
【請求項４】
前記第２プロセッサは、前記シーケンス番号の連続性を保持する処理の後に、前記第１及び第２データの受信順序に応じた情報を前記メモリに保持された値に反映させることにより、前記シーケンス番号を定めることを特徴とする請求項３に記載の通信システム。
【請求項５】
前記移動端末は、前記受信部により受信された前記データを、前記複数の基地局にそれぞれ対応する複数の異なる論理チャネル毎に分離する処理と、
前記分離する処理により分離された前記データの順序を、前記シーケンス番号に従って補正する処理と、
を行う第３プロセッサを備えることを特徴とする請求項１〜４のいずれか一項に記載の通信システム。
【請求項６】
前記第２プロセッサは、前記基地局と異なる他の基地局に対して前記データ中継装置から前記移動端末へのデータの転送処理の実行を要求する処理と、
前記基地局と前記他の基地局との間で前記移動端末へのデータの転送に使用する無線周波数を異ならせるリソース割当て処理と、を行うことを特徴とする請求項１〜５のいずれか一項に記載の通信システム。
【請求項７】
複数の基地局を介してデータ中継装置から移動端末へデータを転送する際、前記複数の基地局が前記データにシーケンス番号を付与して前記移動端末へ転送する通信システムにおけるデータ中継装置であって、
前記複数の基地局はキャリアアグリゲーション状態で相互に異なる無線周波数を使用して相互に異なるデータを前記移動端末へ送信し、
ネットワークから受信した前記移動端末宛ての第１及び第２データをそれぞれ前記複数の基地局のうち異なる基地局へ転送する際、前記第２データよりも先に受信した前記第１データをある基地局に転送し、前記第１及び第２データの受信順序に応じた情報を前記第２データに付して他の基地局に転送する処理を行い、前記複数の基地局間で、前記シーケンス番号の連続性を保持する処理を行うプロセッサ
を備えたことを特徴とするデータ中継装置。
【請求項８】
複数の基地局を介してデータ中継装置から移動端末へデータを転送する際、前記複数の基地局が前記データにシーケンス番号を付与して前記移動端末へ転送する通信システムにおける基地局であって、
前記複数の基地局はキャリアアグリゲーション状態で相互に異なる無線周波数を使用して相互に異なるデータを前記移動端末へ送信し、
前記データ中継装置における前記移動端末宛ての第１及び第２データのネットワークからの受信順序に応じた情報に基づき前記データ中継装置により前記複数の基地局間で、前記シーケンス番号の連続性を保持するように、前記第１データよりも後に受信され自局に転送された前記第２データにシーケンス番号を付与して前記移動端末に転送する処理を行うプロセッサ
を備えたことを特徴とする基地局。
【請求項９】
複数の基地局を介してデータ中継装置から移動端末へデータを転送する際、前記複数の基地局が前記データにシーケンス番号を付与して前記移動端末へ転送する通信システムにおける移動端末であって、
前記複数の基地局はキャリアアグリゲーション状態で相互に異なる無線周波数を使用して相互に異なるデータを前記移動端末へ送信し、
前記データ中継装置によりネットワークから受信された第１及び第２データのうち、ある基地局からシーケンス番号が付与された前記第１データを受信するとともに、他の基地局からシーケンス番号が付与された前記第２データを受信する受信部と、
前記第１データと前記第２データとをそれぞれに付与された前記シーケンス番号に基づきデータの順序補正を行うプロセッサと、を備え、
前記第１データは前記第２データよりも前に前記データ中継装置がネットワークから受信した前記移動端末宛てのデータであり、
前記第２データに付与されたシーケンス番号は、前記データ中継装置において前記第１及び第２データの受信順序に応じた情報に基づき前記複数の基地局間で前記シーケンス番号の連続性を保持するシーケンス番号である
ことを特徴とする移動端末。
【請求項１０】
複数の基地局を介してデータ中継装置から移動端末へデータを転送する際、前記複数の基地局が前記データにシーケンス番号を付与して前記移動端末へ転送する通信方法において、
前記複数の基地局はキャリアアグリゲーション状態で相互に異なる無線周波数を使用して相互に異なるデータを前記移動端末へ送信し、
前記データ中継装置は、
前記移動端末へ第１及び第２データをそれぞれ前記複数の基地局のうち異なる基地局へ転送する際、前記第２データよりも先に受信した前記第１データをある基地局に転送し、前記複数の基地局間で、前記シーケンス番号の連続性を保持するように前記第１及び第２データの受信順序に応じた情報を前記第２データに付して他の基地局に転送する処理を行い、  
前記複数の基地局の各々は、
前記データ中継装置から転送されたデータに前記情報が付されている場合には、前記データに前記情報に基づくシーケンス番号を付与して前記移動端末に転送し、
前記移動端末は、前記複数の基地局の各々から転送されたデータを受信する
ことを特徴とする通信方法。
【請求項１１】
複数の基地局を介してデータ中継装置から移動端末へデータを転送する際、前記複数の基地局が前記データにシーケンス番号を付与して前記移動端末へ転送する通信システムにおけるデータ中継装置の通信方法であって、
前記複数の基地局はキャリアアグリゲーション状態で相互に異なる無線周波数を使用して相互に異なるデータを前記移動端末へ送信し、
ネットワークから受信した前記移動端末への第１及び第２データをそれぞれ前記複数の基地局のうち異なる基地局へ転送する際、前記第２データよりも先に受信した前記第１データをある基地局に転送し、前記第１及び第２データの受信順序に応じた情報を前記第２データに付して他の基地局に転送する処理を行い、前記複数の基地局間で、前記シーケンス番号の連続性を保持する処理を行う、
ことを特徴とするデータ中継装置の通信方法。
【請求項１２】
複数の基地局を介してデータ中継装置から移動端末へデータを転送する際、前記複数の基地局が前記データにシーケンス番号を付与して前記移動端末へ転送する通信システムにおける基地局の通信方法であって、
前記複数の基地局はキャリアアグリゲーション状態で相互に異なる無線周波数を使用して相互に異なるデータを前記移動端末へ送信し、
前記データ中継装置における前記移動端末宛ての第１及び第２データのネットワークからの受信順序に応じた情報に基づき前記データ中継装置により前記複数の基地局間で前記シーケンス番号の連続性を保持するように、前記第１データよりも後に受信され自局に転送された前記第２データにシーケンス番号を付与して前記移動端末に転送する処理を行う
ことを特徴とする基地局の通信方法。
【請求項１３】
複数の基地局を介してデータ中継装置から移動端末へデータを転送する際、前記複数の基地局が前記データにシーケンス番号を付与して前記移動端末へ転送する通信システムにおける移動端末の通信方法であって、
前記複数の基地局はキャリアアグリゲーション状態で相互に異なる無線周波数を使用して相互に異なるデータを前記移動端末へ送信し、
前記データ中継装置によりネットワークから受信された第１及び第２データのうち、ある基地局からシーケンス番号が付与された前記第１データを受信するとともに、他の基地局からシーケンス番号が付与された前記第２データを受信する工程と、
前記第１データと前記第２データとをそれぞれに付与された前記シーケンス番号に基づきデータの順序補正する工程、を備え、
前記第１データは前記第２データよりも前に前記データ中継装置がネットワークから受信した前記移動端末宛てのデータであり、
前記第２データに付与されたシーケンス番号は、前記データ中継装置において前記第１及び第２データの受信順序に応じた情報に基づき前記複数の基地局間で前記シーケンス番号の連続性が保持されるシーケンス番号である、
ことを特徴とする移動端末の通信方法。
【請求項１４】
複数の基地局に接続された移動端末へ、データ中継装置からデータを転送する通信システムにおいて、
前記複数の基地局はキャリアアグリゲーション状態で相互に異なる無線周波数を使用して相互に異なるデータを前記移動端末へ送信し、
前記データ中継装置は、
ネットワークから受信した前記移動端末宛ての第１データ及び該第１データとは異なる第２データをそれぞれ前記複数の基地局のうち異なる基地局へ転送する際、前記第１データ及び前記第２データの受信順序を前記第１及び第２データに反映し、前記第１データをある基地局に転送するとともに、前記第２データを他の基地局に転送する処理を行うプロセッサを備え、
前記移動端末は、
前記ある基地局を介して前記第１データを受信するとともに、前記他の基地局を介して前記第２データを受信する受信部であって、前記プロセッサによる前記転送処理により、前記複数の基地局の各々から前記移動端末へ転送される前記第１および第２データに付与されたシーケンス番号の連続性を保持して受信する受信部を備えた
ことを特徴とする通信システム。
【発明の詳細な説明】
【技術分野】
【０００１】
本明細書で論じられる実施態様は、無線通信システムにおけるダウンリンクデータの転送に関する。
【背景技術】
【０００２】
無線通信では伝送路のデータ欠損に対応するため、再送制御が行われている。再送制御が行われるとデータの到達順序が送出順序と異なることがある。このため、受信装置はデータに付与されたシーケンス番号を参照して受信データの順序の補正を行う。【０００３】
また、同時に異なる基地局装置を経由して異なるデータを同一の移動端末装置に転送する技術が検討されている。このような転送を可能にする技術の例としてはInter-eNB キャリアアグリゲーションや多地点協調（CoMP: Coordinated Multi Point）技術がある。Inter-eNB キャリアアグリゲーションは、異なる基地局から複数のキャリアを経由して異なるデータを同時受信する技術である。なお、以下の説明において基地局装置及び移動端末装置をそれぞれ「基地局」及び「移動端末」と表記することがある。【０００４】
なお、移動局より複数の基地局を介して無線網制御装置に到る複数の経路のそれぞれに、送信順序番号が付加されたデータを送出する通信方法が知られている。この方法では、無線網制御装置は各経路の通信状態を監視し、各経路の通信状態に基づいて、複数の経路のすべてにデータを送出するか、所定の２以上の経路にデータを送出するか、所定の１本の経路にデータを送出するかを決定する。無線網制御装置は、この決定した経路を移動局に通知し、移動局は通知された経路にそれぞれ異なるデータを送信順序番号を付して送出する。無線網制御装置は各経路より受信したデータを、送信順序番号を参照して並び替えてコアネットワークに送信する。
【先行技術文献】
【特許文献】
【０００５】
【特許文献１】特開２００８−７２４５２
【発明の概要】
【発明が解決しようとする課題】
【０００６】
同一の移動端末に一連の異なるデータを同時に異なる基地局を経由して転送する場合に、各基地局が独立してシーケンス番号を転送データに付与すると、一連のデータに付与されたシーケンス番号が本来の順序と一致しない場合が生じうる。この結果、データを受信した移動端末は適切に順序を補正できない。【０００７】
開示の装置及び方法は、同時に異なる基地局を経由して一連の異なるデータを同一の移動端末に転送する場合に、各基地局により転送データに付与されるシーケンス番号の連続性を保つことを目的とする。
【課題を解決するための手段】
【０００８】
装置の一観点によれば、複数の基地局を介してデータ中継装置から移動端末へデータを転送する際、複数の基地局がデータにシーケンス番号を付与して移動端末へ転送する通信システムが与えられる。データ中継装置は、ネットワークから受信した移動端末宛ての第１及び第２データをそれぞれ複数の基地局のうち異なる基地局へ転送する際、第２データよりも先に受信した第１データをある基地局に転送し、第１及び第２データの受信順序に応じた情報を第２データに付して他の基地局に転送する処理を行う第１プロセッサを備える。複数の基地局の各々は、データ中継装置から転送されたデータに上記の情報が付されている場合には、データに上記の情報に基づくシーケンス番号を付与して移動端末に転送する処理を行う第２プロセッサを備える。移動端末は、複数の基地局の各々から転送されたデータを受信する受信部を備える。【０００９】
また他の装置の一観点によれば、複数の基地局に接続された移動端末へ、データ中継装置からデータを転送する通信システムが与えられる。データ中継装置は、ネットワークから受信した移動端末宛ての第１データ及び第１データとは異なる第２データをそれぞれ複数の基地局のうち異なる基地局へ転送する際、第１データ及び第２データの受信順序を第１及び第２データに反映し、第１データをある基地局に転送するとともに、第２データを他の基地局に転送する処理を行うプロセッサを備える。移動端末は、ある基地局を介して第１データを受信するとともに、他の基地局を介して第２データを受信する受信部を備える。【００１０】
他の装置の一観点によれば、複数の基地局を介してデータ中継装置から移動端末へデータを転送する際、複数の基地局がデータにシーケンス番号を付与して移動端末へ転送する通信システムにおけるデータ中継装置が与えられる。データ中継装置は、ネットワークから受信した移動端末宛ての第１及び第２データをそれぞれ複数の基地局のうち異なる基地局へ転送する際、第２データよりも先に受信した第１データをある基地局に転送し、第１及び第２データの受信順序に応じた情報を第２データに付して他の基地局に転送する処理を行うプロセッサを備える。【００１１】
他の装置の一観点によれば、複数の基地局を介してデータ中継装置から移動端末へデータを転送する際、複数の基地局がデータにシーケンス番号を付与して移動端末へ転送する通信システムにおける基地局が与えられる。基地局は、データ中継装置における移動端末宛ての第１及び第２データのネットワークからの受信順序に応じた情報に基づいて、データ中継装置により第１データよりも後に受信され自局に転送された第２データにシーケンス番号を付与して移動端末に転送する処理を行うプロセッサを備える。【００１２】
他の装置の一観点によれば、複数の基地局を介してデータ中継装置から移動端末へデータを転送する際、複数の基地局がデータにシーケンス番号を付与して移動端末へ転送する通信システムにおける移動端末が与えられる。移動端末は、データ中継装置によりネットワークから受信された第１及び第２データのうち、ある基地局からシーケンス番号が付与された第１データを受信するとともに、他の基地局からシーケンス番号が付与された第２データを受信する受信部と、第１データと第２データとをそれぞれに付与されたシーケンス番号に基づきデータの順序補正を行うプロセッサと、を備える。第１データは第２データよりも前にデータ中継装置がネットワークから受信した移動端末宛てのデータであり、第２データに付与されたシーケンス番号は、データ中継装置における第１及び第２データの受信順序に応じた情報に基づくシーケンス番号である。【００１３】
方法の一観点によれば、複数の基地局を介してデータ中継装置から移動端末へデータを転送する際、複数の基地局がデータにシーケンス番号を付与して移動端末へ転送する通信方法が与えられる。データ中継装置は、移動端末へ第１及び第２データをそれぞれ複数の基地局のうち異なる基地局へ転送する際、第２データよりも先に受信した第１データをある基地局に転送し、第１及び第２データの受信順序に応じた情報を第２データに付して他の基地局に転送する処理を行う。複数の基地局の各々は、データ中継装置から転送されたデータに上記の情報が付されている場合には、データに上記の情報に基づくシーケンス番号を付与して移動端末に転送する。移動端末は、複数の基地局の各々から転送されたデータを受信する。
【発明の効果】
【００１４】
開示の装置又は方法によれば、同時に異なる基地局を経由して一連の異なるデータを同一の移動端末に転送する場合に、各基地局により転送データに付与されるシーケンス番号の連続性が保たれる。【００１５】
本発明の目的及び利点は、特許請求の範囲に示した要素及びその組合せを用いて具現化され達成される。前述の一般的な記述及び以下の詳細な記述の両方は、単なる例示及び説明であり、特許請求の範囲のように本発明を限定するものでないと解するべきである。
【図面の簡単な説明】
【００１６】
【図１】通信システムの全体構成例を示す図である。
【図２】移動端末のハードウエア構成の一例を示す図である。
【図３】移動端末の構成例を示す図である。
【図４】図３に示すレイヤ１処理部の構成例を示す図である。
【図５】図３に示すレイヤ２処理部の構成例を示す図である。
【図６】基地局のハードウエア構成の一例を示す図である。
【図７】基地局の構成例を示す図である。
【図８】図７に示すレイヤ１処理部の構成例を示す図である。
【図９】図７に示すレイヤ２処理部の構成例を示す図である。
【図１０】データ中継装置のハードウエア構成の一例を示す図である。
【図１１】データ中継装置の構成例を示す図である。
【図１２】経路設定の処理の説明図である。
【図１３】データ中継装置の構成例を示す図である。
【発明を実施するための形態】
【００１７】
＜１．通信システムの構成＞
以下、添付される図面を参照して、好ましい実施例について説明する。図１は、通信システムの全体構成例を示す図である。通信システム１は、ネットワーク２と、データ中継装置３と、基地局４ａ及び４ｂと、移動端末５を備える。ネットワーク２は、通信システム１が移動端末５との間で送受信するデータを有線区間で伝送するネットワークである。データ中継装置３は、ネットワーク２から移動端末５へ送信されるデータをネットワーク２から受信して基地局４ａ及び４ｂへ転送する。またデータ中継装置３は、移動端末５からネットワーク２へ送信されるデータを基地局ａ及び４ｂから受信してネットワーク２へ転送する。
【００１８】
基地局４ａ及び４ｂは、無線通信回線を経由して移動端末５と通信し、ネットワーク２から移動端末５へ送信されるデータをデータ中継装置３から受信して移動端末５へ送信する。またデータ基地局４ａ及び４ｂは、移動端末５からネットワーク２へ送信されるデータを移動端末５から受信してデータ中継装置３へ転送する。なお、以下の説明において基地局４ａ及び４ｂを総称して、「基地局４」と表記することがある。
【００１９】
通信システム１は、例えば、３ＧＰＰ（3rd Generation Partnership Project）にて仕様が検討されているＬＴＥ（Long-term evolution）−Ａｄｖａｎｃｅｄ方式に準拠する通信システムであってよい。この場合、例えばネットワーク２は、公衆網と無線アクセスネットワークとの間を中継するコアネットワークに対応する。また、データ中継装置３はＳ−ＧＷ（Serving Gateway）及びＭＭＥ（Mobility Management Entity）に対応する。Ｓ−ＧＷ及びＭＭＥは、それぞれ別個の情報処理装置により実現されてよく、単一の情報処理装置により実現されてもよい。
【００２０】
＜２．移動端末の構成＞
図２は、移動端末５のハードウエア構成の一例を示す。移動端末５は、ベースバンド処理回路１０と、アプリケーション処理用回路１１と、アンテナ１２を備える。ベースバンド処理回路１０は、プロセッサ１３、デジタル信号プロセッサ１４、データバッファ１５、コーデック回路１６、変調回路１７、無線回路１８を備える。アプリケーション処理用回路１１は、プロセッサ１９と、音声コーデック回路２０と、画像コーデック回路２１と、音声入出力デバイス２２と、画像出力デバイス２３を備える。図中、点線で描かれた接続線は制御情報の授受を示す。また実線で描かれた接続線はデータの授受を示す。また、添付する図面において、ベースバンド及びデジタル信号処理プロセッサをそれぞれ「ＢＢ」及び「ＤＳＰ」と表記する。図２に示すハードウエア構成は、移動端末５を実現するハードウエア構成の一例である。本明細書において以下に記載される処理を実行するものであれば、他のどのようなハードウエア構成が採用されてもよい。
【００２１】
コーデック回路１６は移動端末５と基地局４との間で送受信される信号のレイヤ１処理における符号化処理及び復号化処理を行う。変調回路１７は、レイヤ１処理における変調処理及び復調処理を行う。デジタル信号プロセッサ１４は、これらコーデック回路１６及び変調回路１７を制御する。無線回路１８は、ディジタルベースバンド信号とアナログ無線周波数信号との間の変換を行う。プロセッサ１３は、レイヤ３処理及びレイヤ２処理を実行する。データバッファ１５は、送受信データを格納し、ベースバンド処理部１０とアプリケーション処理用回路１１との間において送受信データを中継する。またプロセッサ１３は、呼接続の状態管理を行う。
【００２２】
音声コーデック回路２０は、移動端末５と基地局４との間で送受信される音声信号の信号処理を実行する。音声信号は、音声入出力デバイス２２によって入出力される。画像コーデック回路２１は、移動端末５と基地局４との間で送受信される画像信号の信号処理を実行する。画像信号は、画像入出力デバイス２３によって入出力される。プロセッサ１９は、これら音声コーデック回路２０及び画像コーデック回路２１を制御する。
【００２３】
図３は、移動端末５の構成例を示す図である。移動端末５は、無線信号処理部３０と、レイヤ１処理部３１と、レイヤ２処理部３２と、レイヤ３処理部３３と、アプリケーションレイヤ処理部３４を備える。無線信号処理部３０による信号処理は、図２に示す無線回路１８によって実行される。レイヤ１処理部３１による処理は、デジタル信号プロセッサ１４、コーデック回路１６及び変調回路１７によって実行される。レイヤ２処理部３２及びレイヤ３処理部３３による処理は、プロセッサ１３によって実行される。アプリケーションレイヤ処理部３４における処理は、アプリケーション処理用回路１１によって実行される。
【００２４】
無線信号処理部３０は、アンテナ１２にて受信された無線周波数信号をベースバンド信号へ変換する。また、無線信号処理部３０は、移動端末５により生成されたベースバンド信号を無線周波数信号へ変換し、アンテナ１２を介して送信する。
【００２５】
レイヤ１処理部３１の構成例を図４に示す。レイヤ１処理部３１は、復調処理部４０と、復号化処理部４１と、符号化処理部４２と、変調処理部４３を備える。復調処理部４０は、無線信号処理部３０が受信した信号の復調処理を行う。例えば、復調処理部４０は、ＯＦＤＭＡ（Orthogonal Frequency Division Multiple Access：直行周波数分割多重アクセス）による復調処理を行ってよい。この場合、復調処理部４０は、測定部４４と、高速フーリエ変換部４５と、復調部４６を備える。なお、添付する図面において高速フーリエ変換を「ＦＦＴ」と表記する。測定部４４はセルサーチ及び受信信号のレベル測定を行う。高速フーリエ変換部４５は受信信号をフーリエ変換することによりサブキャリアシンボルを復元する。復調部４６は、一次変調信号であるサブキャリアシンボルに復調処理を施し符号化データを復元する。
【００２６】
復号化処理部４１は、復元された符号化データの復号処理を行う。復号化処理部４１は、デレートマッチング部４７と、合成部４８と、復号化部４９と、誤り検出部５０を備える。デレートマッチング部４７は、割り当てられた物理チャネルリソースに応じて伸縮されているデータを復元する。合成部４８は、ＨＡＲＱ（Hybrid Automatic Repeat Request: ハイブリッド型自動再送要求）等の再送処理により再送データを合成する。復号化部４９は、例えばターボ復号処理によって符号化データを復号する。誤り検出部５０は、復号化されたデータの誤り検出処理を行う。
【００２７】
符号化処理部４２は、送信信号の符号化処理を行う。符号化処理部４２は、誤り検出符号付加部５１と、符号化部５２と、レートマッチング部５３を備える。誤り検出符号付加部５１は、ＣＲＣ（Cyclic Redundancy Checking）符号などの誤り検出符号を算出して送信データに付加する。符号化部５２は、例えばターボ符号化処理によりデータを符号化する。レートマッチング部５３は、割り当てられた物理チャネルリソースに応じて符号化データを伸縮する。
【００２８】
変調処理部４３は、符号化データの変調処理を行う。例えば変調処理部４３は、ＳＣ−ＦＤＭＡ（Single Carrier Frequency Devision Multiple Access：単一キャリア周波数分割多重アクセス）方式による変調処理を実行してよい。この場合、変調処理部４３は、変調部５４と、離散フーリエ変換部５５と、マッピング部５６と、逆高速フーリエ変換部５７を備える。変調部５４は符号化されたデータに多値変調等の一次変調処理を施す。離散フーリエ変換部５５は、多値変調されたシンボルに離散フーリエ変換を施すことにより比較的広帯域の単一キャリアの周波数領域信号を生成する。マッピング部５６は、基地局４から割り当てられた物理チャネルリソースのサブキャリア上に周波数領域信号をマッピングする。逆高速フーリエ変換部５７はサブキャリア上に割り当てられた周波数領域信号を高速逆フーリエ変換する。なお、添付する図面において離散フーリエ変換及び逆高速フーリエ変換をそれぞれ「ＤＦＴ」及び「ＩＦＦＴ」と表記する。変調処理部４３により変調された信号は、無線信号処理部３０により送信される。
【００２９】
図３に示すレイヤ２処理部３２の構成例を図５に示す。なお、添付する図面及び以下の説明において、媒体アクセス制御、無線リンク制御及びパケットデータ収斂プロトコルをそれぞれ「ＭＡＣ」、「ＲＬＣ」及び「ＰＤＣＰ」と表記する。レイヤ２処理部３２は、ＭＡＣ受信部６０と、ＲＬＣ受信部６１と、ＰＤＣＰ受信部６２と、ＰＤＣＰ送信部６３と、ＲＬＣ送信部６４と、ＭＡＣ送信部６５を備える。
【００３０】
ＭＡＣ受信部６０は、レイヤ１処理部３１の誤り検出部５０から受信したデータを論理チャネル毎に分離してＲＬＣ受信部６１へ出力する。ＲＬＣ受信部６１は、ＭＡＣ受信部６０から受信したデータを送信された順序に並べ替えてＰＤＣＰ受信部６２へ転送する。ＰＤＣＰ受信部６２は、ＲＬＣ受信部６１から受信したデータを、このデータに付加されたシーケンス番号の順序に並べて、レイヤ３処理部３３及びアプリケーションレイヤ処理部３４へ出力する。
【００３１】
ＰＤＣＰ送信部６３は、レイヤ３処理部３３及びアプリケーションレイヤ処理部３４から受信したデータにシーケンス番号を割り当てて、ＲＬＣ送信部６４へ転送する。ＲＬＣ送信部６４は、ＰＤＣＰ送信部６３から受信したデータを再送制御処理によってＭＡＣ送信部６５へ送出する。ＭＡＣ送信部６５は、ＲＬＣ送信部６４から論理チャネル毎に受信したデータを結合して、レイヤ１処理部３１の誤り検出符号付加部５１へ出力する。ＭＡＣ送信部６５は、送信信号のＨＡＲＱ処理を行うＨＡＲＱ処理部６６と、論理チャネル毎のデータを結合する結合処理部６７を備える。
【００３２】
図３を参照する。レイヤ３処理部３３は、無線リソースの制御及び移動端末５全体の制御を実施する。レイヤ３処理部３３は、ページング、並びに呼の確立及び解放処理等のＲＲＣ（Radio Resource Control: 無線リソース制御）接続制御を実行する。また、レイヤ３処理部３３は、測定の管理及び報告を行うメジャーメント制御を実行する。例えばレイヤ３処理部３３は、移動端末５が取り扱うトラヒック量を測定し、基地局４へ報告してよい。レイヤ３処理部３３は、ハンドオーバやリセレクションなど接続切換制御を行うモビリティ制御処理を実行する。
【００３３】
アプリケーションレイヤ処理部３４は、ユーザの通信目的に応じたユーザデータを処理する。
【００３４】
＜３．基地局の構成＞
次に、基地局４の構成について説明する。図６は、基地局４ａのハードウエア構成の一例を示す図である。基地局４ｂも同様の構成を有する。基地局４ａは、プロセッサ７０と、コーデック回路７１と、変調回路７２と、無線回路７３と、アンテナ７４と、データバッファ７５と、管理情報バッファ７６と、レイヤ２処理用補助回路７７を備える。図中、点線で描かれた接続線は制御情報の授受を示す。また実線で描かれた接続線はデータの授受を示す。図６に示すハードウエア構成は、あくまで基地局４ａを実現するハードウエア構成の一例である。本明細書において以下に記載される処理を実行するものであれば、他のどのようなハードウエア構成が採用されてもよい。
【００３５】
コーデック回路７１は移動端末５と基地局４ａとの間で送受信される信号のレイヤ１処理における符号化処理及び復号化処理を行う。変調回路７２は、レイヤ１処理における変調処理及び復調処理を行う。プロセッサ７０は、これらコーデック回路７１及び変調回路７２の制御、レイヤ２処理及びレイヤ３処理、ユーザの接続状態の管理、及びリソース割当てスケジューリング処理を実行する。レイヤ２処理用補助回路７７は、レイヤ２処理の一部を実行する。無線回路７３は、ディジタルベースバンド信号とアナログ無線周波数信号との間の変換を行う。データバッファ７５及び管理情報バッファ７６は、送受信データを格納し、基地局４ａとデータ中継装置３との間において送受信データを中継する。メモリ７８には、基地局４ａのＰＤＣＰサブレイヤが送信データに付加するシーケンス番号の値が格納される。
【００３６】
図７は、基地局４ａの構成例を示す図である。基地局４ｂも同様の構成を有する。基地局４ａは、無線信号処理部８０と、レイヤ１処理部８１と、レイヤ２処理部８２−１〜８２−ｎと、レイヤ３処理部８３と、状態通知部８４と、シーケンス番号制御部８５と、接続状態管理部８６と、キャリア制御部８７を備える。以下の説明において、複数のレイヤ２処理部８２−１〜８２−ｎを総称して「レイヤ２処理部８２」と表記することがある。
【００３７】
無線信号処理部８０による信号処理は、図６に示す無線回路７３によって実行される。レイヤ１処理部８１による処理は、プロセッサ７０、コーデック回路７１及び変調回路７２によって実行される。レイヤ２処理部８２による処理は、プロセッサ７０及びレイヤ処理用補助回路７７によって実行される。レイヤ３処理部８３、状態通知部８４、シーケンス番号制御部８５、接続状態管理部８６及びキャリア制御部８７による処理は、プロセッサ７０によって実行される。
【００３８】
無線信号処理部８０は、アンテナ７４にて受信された無線周波数信号をベースバンド信号へ変換する。また、無線信号処理部８０は、基地局４ａにより生成されたベースバンド信号を無線周波数信号へ変換し、アンテナ７４を介して送信する。
【００３９】
レイヤ１処理部８１の構成例を図８に示す。レイヤ１処理部８１は、復調処理部９０、復号化処理部９１と、符号化処理部９２と、変調処理部９３を備える。復調処理部９０は、無線信号処理部８０が受信した信号の復調処理を行う。例えば復調処理部９０は、ＳＣ−ＦＤＭＡ方式による復調処理を行ってよい。この場合、復調処理部９０は、高速フーリエ変換部１００と、デマッピング部１０１と、逆離散フーリエ変換部１０２と、復調部１０３を備える。なお、添付する図面において逆離散フーリエ変換を「ＩＤＦＴ」と表記する。
【００４０】
高速フーリエ変換部９０は、受信した時間領域信号の受信信号を周波数領域信号に変換し、サブキャリアシンボルを復元する。デマッピング部１０１は、各サブキャリアにマッピングされたシンボルを複数のユーザ毎のシンボルＳ１１〜Ｓ１ｎに分割する。逆離散フーリエ変換部１０２は、単一キャリアの周波数領域信号である各ユーザのサブキャリアシンボルＳ１１〜Ｓ１ｎをそれぞれ逆離散フーリエ変換することにより、各ユーザの一次変調信号を復元する。復調部４６は、一次変調信号に復調処理を施し各ユーザ毎の符号化データＳ２１〜Ｓ２ｎを復元する。
【００４１】
復号処理部９１は、各ユーザ毎の符号化データＳ２１〜Ｓ２ｎの復号処理を行い、符号化されたユーザ毎のデータＳ３１〜Ｓ３ｎを復元する。復号処理部９１は、デレートマッチング部１０４と、合成部１０５と、復号化部１０６と、誤り検出部１０７を備える。デレートマッチング部１０４、合成部１０５、復号化部１０６、及び誤り検出部１０７の処理は、上述のデレートマッチング部４７と、合成部４８と、復号化部４９と、誤り検出部５０の処理と同様である。データＳ３１〜Ｓ３ｎは、それぞれレイヤ２処理部８２−１〜８２−ｎへ出力される。
【００４２】
符号化処理部９２は、レイヤ２処理部８２−１〜８２−ｎからそれぞれ入力したユーザ毎のデータＳ４１〜Ｓ４ｎを符号化し、各ユーザ毎の符号化データＳ５１〜Ｓ５ｎを生成する。符号化処理部９２は、誤り検出符号付加部１１０と、符号化部１１１と、レートマッチング部１１２を備える。誤り検出符号付加部１１０、符号化部１１１及びレートマッチング部１１２の処理は、上述の誤り検出符号付加部５１、符号化部５２、及びレートマッチング部５３の処理と同様である。
【００４３】
変調処理部９３は、ユーザ毎の符号化データＳ５１〜Ｓ５ｎの変調処理を行う。例えば変調処理部９３は、ＯＦＤＭＡ方式による変調処理を実行してよい。この場合、変調処理部４３は、変調部１１３と、マッピング部１１４と、逆高速フーリエ変換部１１５を備える。変調部１１３は、ユーザ毎の符号化データＳ５１〜Ｓ５ｎに多値変調等の一次変調処理を施しサブキャリアシンボルＳ６１〜Ｓ６ｎを生成する。マッピング部１１４は、サブキャリアシンボルＳ６１〜Ｓ６ｎを物理チャネルリソースのサブキャリア上にマッピングするする。逆高速フーリエ変換部１１５は、サブキャリアシンボルに逆高速フーリエ変換を施し時間領域信号を生成する。変調処理部９３により変調された信号は、無線信号処理部８０により送信される。
【００４４】
レイヤ２処理部８２−１の構成例を図９に示す。レイヤ２処理部８２−２〜８２−ｎの構成は、レイヤ２処理部８２−１の構成と同様である。レイヤ２処理部８２−１〜８２〜ｎは、それぞれユーザ毎のデータＳ３１〜Ｓ３ｎ及びＳ４１〜Ｓ４ｎに関するレイヤ２処理を実施する。レイヤ２処理部８２−１は、ＭＡＣ受信部１２０と、ＲＬＣ受信部１２１と、ＰＤＣＰ受信部１２２と、ＰＤＣＰ送信部１２３と、ＲＬＣ送信部１２４と、ＭＡＣ送信部１２５を備える。また、ＭＡＣ送信部１２５は、ＨＡＲＱ処理部１２６と、結合処理部１２７を備える。ＭＡＣ受信部１２０、ＲＬＣ受信部１２１、ＰＤＣＰ受信部１２２、ＰＤＣＰ送信部１２３、ＲＬＣ送信部１２４、及びＭＡＣ送信部１２５の処理は、それぞれ、ＭＡＣ受信部６０、ＲＬＣ受信部６１、ＰＤＣＰ受信部６２、ＰＤＣＰ送信部６３、ＲＬＣ送信部６４、及びＭＡＣ送信部６５の処理と同様である。ＰＤＣＰ送信部１２３は、ＰＤＣＰサブレイヤにおいて、データ中継装置３から受信したパケットデータにシーケンス番号を付加する処理を行う。
【００４５】
図７を参照する。レイヤ３処理部８３は、無線リソースの制御及びＲＲＣ接続制御を実行する。状態通知部８４は、基地局４ａの所定の状態を測定して、データ中継装置３へ通知する。所定の状態は、例えば基地局４ａの取り扱うトラヒック量やデータバッファ７５の残り容量といった基地局４ａの負荷に関する状態であってよい。
【００４６】
シーケンス番号制御部８５は、メモリ７８に格納されるシーケンス番号の値を、他の基地局４ｂとの間で同期させるための処理を実行してよい。例えば、シーケンス番号制御部８５は、データ中継装置３から送信されるシーケンス番号要求信号に応答して、メモリ７８に格納されるシーケンス番号の値をデータ中継装置３へ送信する。また、例えばシーケンス番号制御部８５は、メモリ７８に格納されるシーケンス番号の値を、データ中継装置３から通知されるシーケンス番号指定値に書き換える。
【００４７】
また、シーケンス番号制御部８５は、移動端末５へ転送するデータに伴ってデータ中継装置３から送信されるシーケンス番号基礎情報に従って、メモリ７８に格納されるシーケンス番号の値を指定する処理を実行してよい。
【００４８】
接続状態管理部８６は、基地局４ａに接続される各ユーザの接続状態管理を実行する。キャリア制御部８７は、リソース割当てスケジューリング処理を行う。また、キャリア制御部８７は、データ中継装置３から送信される異なるデータを、同時に異なる基地局４を経由して同一の移動端末５に転送するための経路を設定するための処理を行う。
【００４９】
例えば、キャリア制御部８７は、経路追加要求を他の基地局４ｂに通知する。経路追加要求は、データ中継装置３からの送信データを基地局４ａに接続中の移動端末５へ転送する転送処理を他の基地局４ｂも実行することを要求する。また、キャリア制御部８７は、他の基地局４ｂから通知された経路追加要求の可否を判定し、その応答である経路追加要求応答を他の基地局４ｂへ通知する。他の基地局４ｂから通知された経路追加要求によりデータ転送処理を実施する場合には、キャリア制御部８７は、移動端末５へデータを転送する物理チャネルの設定を他の基地局４ｂへ通知する。
【００５０】
さらにキャリア制御部８７は、基地局４ａが移動端末５へのデータ転送に使用する物理チャネルリソースと他の基地局４ｂが移動端末５へのデータ転送に使用する物理チャネルリソースとの調整を行ってもよい。キャリア制御部８７は、例えば、基地局４ａと他の基地局４ｂとの間で物理チャネルリソースが競合しないように、それぞれが移動端末５へのデータ転送に使用する無線周波数を異ならせるリソース割当て処理を実施してよい。
【００５１】
＜４．データ中継装置の構成＞
次に、データ中継装置３の構成について説明する。図１０は、データ中継装置３のハードウエア構成の一例を示す図である。データ中継装置３は、プロセッサ１３０と、データバッファ１３１と、管理情報バッファ１３２と、データ転送処理補助回路１３３とを含む。図中、点線で描かれた接続線は制御情報の授受を示す。また実線で描かれた接続線はデータの授受を示す。図１０に示すハードウエア構成は、あくまでデータ中継装置３を実現するハードウエア構成の一例である。本明細書において以下に記載される処理を実行するものであれば、他のどのようなハードウエア構成が採用されてもよい。
【００５２】
プロセッサ１３０は、移動端末５へのデータ転送のために選択可能な経路に関する経路情報を、移動端末５毎に管理するユーザモビリティ処理を実行する。管理情報バッファ１３２は経路情報を格納する。また、プロセッサ１３０は、移動端末５へのデータをどの基地局５に転送するかを判断する転送経路判断処理を実行する。また、基地局４から報告される所定の状態に関する通知を監視する。プロセッサ１３０は、基地局４の所定の状態に応じて転送経路を判断する。また、プロセッサ１３０は、ＰＤＣＰサブレイヤにおいて転送データに付加されるシーケンス番号を管理する処理を実行する。
【００５３】
データバッファ１３１及び管理情報バッファ１３２は、送受信データを格納し、基地局４ａとデータ中継装置３との間において送受信データを中継する。データ転送処理補助回路１３３は、基地局４とデータ中継装置３との間のデータ転送を補助する。例えば、データ転送処理補助回路１３３は、転送データが格納される記憶領域の先頭アドレス、サイズ及び転送に使用するパラメータを指定すると、基地局４へ転送データ及び必要な情報を転送するハードウエアであってよい。
【００５４】
なお、データ中継装置３は単体の情報処理装置として実現されてもよく、複数の情報処理装置として実現されてもよい。例えば、データ中継装置３がＳ−ＧＷ及びＭＭＥである場合、Ｓ−ＧＷ及びＭＭＥを一体の情報処理装置により実現してもよく、個別の情報処理装置で実現してもよい。
【００５５】
図１１は、データ中継装置３の構成例を示す図である。データ中継装置３は、モビィリティ管理部１４０、状態監視部１４１、経路選択部１４２、シーケンス番号制御部１４３及びカウンタ１４４を備える。モビィリティ管理部１４０、状態監視部１４１、経路選択部１４２、シーケンス番号制御部１４３及びカウンタ１４４の処理は、プロセッサ１３０によって実行される。
【００５６】
モビィリティ管理部１４０は、ネットワーク２から受信したデータを移動端末５へ転送するために選択可能な経路の経路情報を移動端末５毎に管理する。経路情報は、移動端末５とのサービスのコネクションが確立した場合や、基地局４のキャリア制御部８７により、データ中継装置３から移動端末５へのデータを経由させる基地局４が新たに追加された場合に生成される。
【００５７】
状態監視部１４１は、基地局４の状態通知部８４から報告される基地局４の所定の状態を監視する。経路選択部１４２は、モビィリティ管理部１４０に保持された、移動端末５へのデータ転送のために選択可能な経路のうち、どの経路をデータ転送に使用するかを、基地局４の所定の状態に基づいて選択する。例えば、経路選択部１４２は、比較的負荷が軽い基地局４を経由する経路を選択する。
【００５８】
シーケンス番号制御部１４３は、ＰＤＣＰサブレイヤにおいて転送データに付加されるシーケンス番号を管理する処理を実行する。例えば、シーケンス番号制御部１４３は、データ中継装置３から同一の移動端末５に転送される異なるデータがそれぞれ経由する異なる基地局４ａ及び４ｂ内のメモリ７８に格納されるシーケンス番号の値を、互いに同期させるための処理を実行してよい。シーケンス番号制御部１４３は、一方の基地局４ａに対して、メモリ７８に格納されるシーケンス番号の値をデータ中継装置３へ送信させるシーケンス番号要求信号に送信してよい。また、シーケンス番号制御部１４３は、シーケンス番号要求信号により一方の基地局４ａから取得したシーケンス番号で、メモリ７８に格納されるシーケンス番号を他方の基地局４ｂに書き換えさせてもよい。
【００５９】
ある実施例では、シーケンス番号制御部１４３は、基地局４のＰＤＣＰサブレイヤにおけるシーケンス番号の決定に使用されるシーケンス番号基礎情報を生成し、データ転送に伴って基地局４へ通知してよい。ある基地局４ａに転送されるデータに伴って送信されるシーケンス番号基礎情報は、基地局４ａ経由で移動端末５へ転送するこのデータと、このデータ以前に送信され他の基地局４ｂ経由で移動端末５へ転送されるデータとの間のデータ順序に応じた値を有してよい。シーケンス番号基礎情報を参照することで、基地局４ａは、データ中継装置３から基地局４ａへ送信されたデータと、それ以前に他の基地局４ｂへ送信された他のデータとのデータ中継装置３からのデータ順序に応じてデータのシーケンス番号を決めることができる。このため、移動端末５へ転送される複数データが、異なる基地局４を通る経路を経由しても、データ順序に応じたシーケンス番号をデータに与えることが可能となる。
【００６０】
シーケンス番号制御部１４３は、データ中継装置３により転送されるデータのデータ順序を、例えばデータ中継装置３がネットワーク２からデータを受信した受信順序に従って定めてよい。またシーケンス番号制御部１４３は、ネットワーク２から受信したデータに付与されている情報に応じてデータ中継装置３により転送されるデータのデータ順序を定めてよい。
【００６１】
例えば、シーケンス番号基礎情報は、基地局４ａを経由で移動端末５へ前回データを転送してから今回のデータ転送までの間に、基地局４ａ以外の他の基地局経由で移動端末５へして転送されたデータ量やパケット数の累積値であってよい。また、シーケンス番号基礎情報は、例えばデータ中継装置３から移動端末５へ転送する一連のデータの開始から今回のデータ転送までの間に、移動端末５へ転送されたデータ量やパケット数の累積値でもよい。このように定められるシーケンス番号基礎情報の値は、データ中継装置３から基地局４ａへ転送されるデータ、及びそれ以前に他の基地局４ｂへ転送されるデータをデータ中継装置３がネットワークから受信した受信順序に応じて異なる値となる。カウンタ１４４は、移動端末５へ転送するデータ量やパケット数の累積値をカウントする。
【００６２】
＜５．経路の設定処理＞
続いて、データ転送装置３から複数の基地局４を経由して同一の移動端末５に異なるデータを転送するための経路の設定処理の一例について説明する。図１２は、経路設定の処理の説明図である。以下の説明では、データ転送装置３が基地局４ａを経由して移動端末５にデータを転送している状態で、新たに基地局４ｂを経由する経路を追加する場合を想定する。なお、他の実施態様においては、下記のオペレーションＡＡ〜ＡＪの各オペレーションはステップであってもよい。
【００６３】
参照符号２００は、基地局４ａのメモリ７８に記憶されるシーケンス番号の値を示す。新たに経路を増やす直前のシーケンス番号の値は「Ａ」である。オペレーションＡＡにおいて移動端末５のレイヤ３処理部３３は、移動端末５が取り扱うトラヒック量を測定し、基地局４ａへ報告する。基地局４ａのキャリア制御部８７は、移動端末５のトラヒック量に応じて移動端末５に割り当てる物理チャネルの増加可否を判断する。図１２及び図１３においてシーケンス番号を「ＳＮ」と表記する。
【００６４】
移動端末５へ割り当てる物理チャネルを増加させる場合に、基地局４ａのキャリア制御部８７は、基地局４ｂを経由する経路を新たに追加するか否かを判断する。基地局４ｂを経由する経路を追加する場合、オペレーションＡＢにおいて基地局４ａのキャリア制御部８７は、経路追加要求を他の基地局４ｂに通知する。
【００６５】
基地局４ｂにおいてデータ中継装置３からのデータを移動端末に転送できる場合、オペレーションＡＣにおいて基地局４ｂのキャリア制御部８７は、データ転送処理を実行することを知らせる経路追加要求応答を基地局４ａへ通知する。その際、基地局４ｂのキャリア制御部８７は、基地局４ｂが移動端末５に割り当てた物理チャネルリソースを基地局４ａへ通知する。
【００６６】
なお、オペレーションＡＢ及びＡＣにおいて、基地局４ａ及び４ｂのキャリア制御部８７は、基地局４ａ及び４ｂとの間で移動端末５へのデータの転送に使用する無線周波数を異ならせるリソース割当て処理を行ってよい。ある実施例において、基地局４ａのキャリア制御部８７は、経路追加要求において基地局４ａが使用する無線周波数を基地局４ｂに知らせてよい。基地局４ｂのキャリア制御部８７は、基地局４ａが使用する無線周波数と異なる周波数の物理チャネルリソースを移動端末５へ割り当てる。他の実施例において、基地局４ａは経路追加要求応答を受信したときに、基地局４ｂが使用する周波数と異なる周波数の物理チャネルリソースを移動端末５へ割当て直してよい。このようなリソース割当て処理によって、基地局４ａ及び４ｂから複数のキャリアを経由して異なるデータを同時に送信するInter-eNB キャリアアグリゲーションが可能となる。
【００６７】
オペレーションＡＤにおいて基地局４ａのレイヤ３処理部８３は、基地局４ｂが移動端末５に割り当てた物理チャネルリソースを通知する。基地局４ａがリソースを再割当てした場合には、レイヤ３処理部８３は、必要に応じて基地局４ａが移動端末５に割り当てた物理チャネルリソースを通知する。
【００６８】
オペレーションＡＥにおいて移動端末５のレイヤ３処理部３３は、通知された物理チャネルの設定を行い、物理チャネルの設定の完了を基地局４ｂへ通知する。オペレーションＡＦにおいて基地局４ｂは、データ転送装置３へデータ転送経路の追加要求を行う。経路追加要求を受けたデータ転送装置３の経路選択部１４２は、基地局４ｂを経由する経路を、移動端末５へのデータ転送用経路に追加する。
【００６９】
オペレーションＡＧにおいてデータ転送装置３のシーケンス番号制御部１４３は、基地局４ａのシーケンス番号制御部８５に、メモリ７８に格納されるシーケンス番号の値を照会するシーケンス番号要求信号を送信する。オペレーションＡＨにおいてシーケンス番号制御部８５は、データ転送装置３のシーケンス番号制御部１４３へ、シーケンス番号の値「Ａ」を通知する。
【００７０】
オペレーションＡＩにおいてデータ転送装置３のシーケンス番号制御部１４３は、基地局４ｂのシーケンス番号制御部８５に、シーケンス番号指定値「Ａ」を送信する。オペレーションＡＪにおいてシーケンス番号制御部８５は、メモリ７８に格納するシーケンス番号を、指定値「Ａ」に書き換える。これらオペレーションＡＧ〜ＡＪによって、異なる基地局４ａ及び４ｂ間におけるシーケンス番号の同期処理が完了する。
【００７１】
なお、上述の同期処理ＡＧ〜ＡＪは、既に基地局４ａが移動端末５との通信している状態で基地局４ｂを追加する場合の例であるが、例えばセッション開始時に複数の経路を同時に設定する場合のように、既存の経路が存在しない場合もある。この場合には、同時に設定する複数の経路の基地局４のうちいずれか１つを選択してシーケンス番号要求信号を送信し、この基地局４のシーケンス番号に他の基地局４のシーケンス番号を合わせばよい。
【００７２】
＜６．シーケンス番号の制御の第１例＞
続いて、上述の基地局４ａ及び４ｂを経由するデータに与えるシーケンス番号の制御について説明する。以下の説明の例では、データ転送装置３のシーケンス番号制御部１４３は、基地局４が与えるシーケンス番号をシーケンス番号制御部８５にて補正する補正量であるオフセット値を、シーケンス番号基礎情報として生成する。図１３は、シーケンス番号制御の処理の説明図である。なお、他の実施態様においては、下記のオペレーションＢＡ〜ＢＯの各オペレーションはステップであってもよい。
【００７３】
参照符号２０１及び２０２は、基地局４ａ及び４ｂのメモリ７８にそれぞれ記憶されるシーケンス番号の値を示す。図１２に示す同期処理ＡＧ〜ＡＪによって、基地局４ａ及び４ｂのメモリ７８にそれぞれ記憶されるシーケンス番号の値は同一値「Ａ」に設定される。また、同期処理ＡＧ〜ＡＪを実行した場合、シーケンス番号制御部１４３は、基地局４ａ用のオフセット値及び基地局４ｂ用のオフセット値をいずれも「０」に設定する。
【００７４】
オペレーションＢＡにおいてデータ転送装置３は、ネットワーク２から受信した１０個のパケットデータを基地局４ａに転送する。その際にシーケンス番号制御部１４３は、オフセット値「０」を、基地局４ａへ送信する。オペレーションＢＢにおいてシーケンス番号制御部１４３は、このパケットデータが転送された基地局４ａについて記憶しているオフセット値を「０」に設定し、このパケットデータが転送されなかった基地局４ｂについて記憶しているオフセット値を「１０」増加させることにより値を「１０」へ変更する。
【００７５】
オペレーションＢＣにおいて基地局４ａのシーケンス制御部８５は、メモリ７８に記憶されているシーケンス番号の値「Ａ」に、データ転送装置３から送信されたオフセット値を加えることによりシーケンス番号を補正する。この場合、オフセット値が「０」であるためシーケンス番号の値は変わらない。オペレーションＢＤにおいて基地局４ａは、データ転送装置３から転送された１０個のパケットデータを移動局５へ転送する。その際に、基地局４ａのレイヤ２処理部８２は、メモリ７８に記憶されている値「Ａ」から始まる１０個のシーケンス番号「Ａ」〜「Ａ＋９」を、１０個のパケットデータにそれぞれ与える。１０個のパケットデータにそれぞれシーケンス番号が与えられることにより、オペレーションＢＥにおいてメモリ７８に記憶されているシーケンス値の値は「Ａ＋１０」へ更新される。
【００７６】
オペレーションＢＦにおいてデータ転送装置３は、ネットワーク２から受信した４個のパケットデータを基地局４ｂに転送する。その際にシーケンス番号制御部１４３は、基地局４ｂ用のオフセット値「１０」を、基地局４ｂへ送信する。オペレーションＢＧにおいてシーケンス番号制御部１４３は、このパケットデータが転送された基地局４ｂについて記憶しているオフセット値を「０」に設定し、このパケットデータが転送されなかった基地局４ａについて記憶しているオフセット値を「４」増加させることにより値を「４」へ変更する。
【００７７】
オペレーションＢＨにおいて基地局４ｂのシーケンス制御部８５は、メモリ７８に記憶されているシーケンス番号の値「Ａ」に、データ転送装置３から送信されたオフセット値「１０」を加える補正を行い、シーケンス番号を「Ａ＋１０」へ変更する。オペレーションＢＩにおいて基地局４ｂは、データ転送装置３から転送された４個のパケットデータを移動局５へ転送する。その際に、基地局４ｂのレイヤ２処理部８２は、メモリ７８に記憶されている値「Ａ＋１０」から始まる４個のシーケンス番号「Ａ＋１０」〜「Ａ＋１３」を、４個のパケットデータにそれぞれ与える。４個のパケットデータにそれぞれシーケンス番号が与えられることにより、オペレーションＢＪにおいてメモリ７８に記憶されているシーケンス値の値は「Ａ＋１４」へ更新される。
【００７８】
オペレーションＢＫにおいてデータ転送装置３は、ネットワーク２から受信した５個のパケットデータを基地局４ｂに転送する。その際にシーケンス番号制御部１４３は、基地局４ｂ用のオフセット値「０」を、基地局４ｂへ送信する。オペレーションＢＬにおいてシーケンス番号制御部１４３は、このパケットデータが転送された基地局４ｂについて記憶しているオフセット値を「０」に設定し、このパケットデータが転送されなかった基地局４ａについて記憶しているオフセット値を「４」増加させることにより値を「９」へ変更する。
【００７９】
オペレーションＢＭにおいて基地局４ｂのシーケンス制御部８５は、メモリ７８に記憶されているシーケンス番号の値「Ａ＋１４」に、データ転送装置３から送信されたオフセット値を加える補正を行う。この場合、オフセット値が「０」であるためシーケンス番号の値は変わらない。オペレーションＢＮにおいて基地局４ｂは、データ転送装置３から転送された５個のパケットデータを移動局５へ転送する。その際に、基地局４ｂのレイヤ２処理部８２は、メモリ７８に記憶されている値「Ａ＋１４」から始まる５個のシーケンス番号「Ａ＋１４」〜「Ａ＋１８」を、４個のパケットデータにそれぞれ与える。５個のパケットデータにそれぞれシーケンス番号が与えられることにより、オペレーションＢＯにおいてメモリ７８に記憶されているシーケンス値の値は「Ａ＋１９」へ更新される。
【００８０】
以上のようにシーケンス番号を制御することにより、基地局４ａ及び４ｂをそれぞれ経由する複数の経路で転送される一連のパケットデータに、連続したシーケンス番号を付加される。この結果、本実施例によれば、異なる経路で転送されるパケットデータの到着順序が正しいデータ順序と異なっていても、パケットデータを受信した移動端末５は、受信データの順序を正しく補正することができる。
【００８１】
なお、上記の説明では、同時に経由する基地局４の数が２台である場合について説明したが、同時に経由する基地局４の数が３台以上である場合も同様にシーケンス番号を決定することができる。例えば、３台以上であるｎ台の基地局４を経由して同一の移動端末５にデータが転送される場合を考える。ある基地局４へ送信するオフセット値は、前回この基地局４を経由してデータを転送してから今回のデータ転送までの間に、他の（ｎ−１）台の基地局４を経由したパケット数の累積値として決定してよい。
【００８２】
また他の実施例では、データ転送装置３のシーケンス番号制御部１４３は、オフセット値の代わりに、シーケンス番号をシーケンス番号基礎情報として使用してよい。シーケンス番号制御部１４３は、基地局４へ転送する複数のパケットデータの先頭パケットのシーケンス番号を、シーケンス番号基礎情報として送信してよい。基地局４ｂのシーケンス制御部８５は、シーケンス番号を受信した場合に、メモリ７８に格納するシーケンス番号を受信したシーケンス番号で書き換えてよい。
【００８３】
＜７．論理チャネルの設定について＞
次に、基地局４及び移動端末５との間の論理チャネルの設定について説明する。本実施形態のシーケンス番号の制御処理を用いてＰＤＣＰサブレイヤでデータに与えられるＰＤＣＰシーケンス番号を制御することにより、異なる経路を経由するデータのＰＤＣＰシーケンス番号の順番を本来のデータ順序と合わせることができる。
【００８４】
ここでＰＤＣＰシーケンス番号と、ＲＬＣサブレイヤでデータに与えられるＲＬＣシーケンス番号とは独立して決定される。従って、異なる基地局４ａ及び４ｂを経由する経路に同一の論理チャネルが割り当てられると、これらの基地局４ａ及び４ｂが独立して付与するＲＬＣシーケンス番号が移動端末５で混在するため、ＲＬＣサブレイヤにおいて正しく順序補正ができなくなる。
【００８５】
このため、ある実施例では、データ中継装置３から送信される異なるデータを同一の移動端末５に複数の基地局４を経由して同時に転送するそれぞれの経路に、それぞれ異なる論理チャネルが割り当てられる。データを経由する複数の基地局４のキャリア制御部８７は、図１２に示すオペレーションＡＢ及びＡＣにおいて新たな経路を追加する際に、複数の基地局４と移動端末５との間の論理チャネルが異なる論理チャネルとなるように、論理チャネルの設定処理を行ってもよい。キャリア制御部８７は、図１２に示すオペレーションＡＤにおいてレイヤ３処理部８３が物理チャネルリソースを移動端末５に通知する時に、論理チャネルの設定を移動端末５へ通知してよい。
【００８６】
移動端末５のＭＡＣ受信部６０は、データを経由する複数の基地局４にそれぞれ対応して割り当てられた論理チャネル毎に受信データを分離する。複数の基地局４をそれぞれ経由したデータは別々にＲＬＣ受信部６１で処理される。ＰＤＣＰ受信部６２は、論理チャネル毎に分離された複数の基地局４をそれぞれ経由したデータを統合し、シーケンス番号に従って順序を補正する。
【００８７】
このようにデータを経由する複数の基地局４毎に論理チャネルを分離することにより、異なる経路でデータが転送されても、各経路の基地局４にて独立してＲＬＣシーケンス番号を付することが可能となる。
【００８８】
＜８．シーケンス番号の制御の第２例＞
続いて、シーケンス番号の制御の他の例について説明する。ある実施例では、データ転送装置３は、シーケンス番号基礎情報を各パケットデータ毎に基地局４へ送信してよい。このときデータ転送装置３は、パケットデータと別に、または各パケットデータに付してシーケンス番号基礎情報を基地局４へ送信してよい。
【００８９】
ある実施例では、基地局４のレイヤ２処理部８２は、各パケットデータ毎に送信されたシーケンス番号基礎情報に応じて、各パケットデータにそれぞれ付加するシーケンス番号を決定してパケットデータに付加する。
【００９０】
他の実施例では、シーケンス番号基礎情報はシーケンス番号そのものであってよい。この場合、移動局４のレイヤ２処理部８２が、データ転送装置３から送信されたシーケンス番号をパケットのヘッダに格納してもよい。または、データ転送装置３の経路選択部１４２は、送信パケットデータのヘッダに直接シーケンス番号を格納してもよい。
【００９１】
本実施例によっても、異なる経路で転送されるパケットデータの到着順序が正しいデータ順序と異なった場合に、移動端末５において受信データの順序を正しく補正することができる。
【００９２】
ここに記載されている全ての例及び条件的な用語は、読者が、本発明と技術の進展のために発明者により与えられる概念とを理解する際の助けとなるように、教育的な目的を意図したものであり、具体的に記載されている上記の例及び条件、並びに本発明の優位性及び劣等性を示すことに関する本明細書における例の構成に限定されることなく解釈されるべきものである。本発明の実施例は詳細に説明されているが、本発明の精神及び範囲から外れることなく、様々な変更、置換及び修正をこれに加えることが可能であると解すべきである。
【符号の説明】
【００９３】
１    通信システム
２    ネットワーク
３    データ中継装置
４、４ａ、４ｂ    基地局装置
５    移動端末装置
１４    デジタル信号プロセッサ
１６    コーデック回路
１７    変調回路
１８    無線回路
７０、１３０    プロセッサ
【図１】
0005892163.tif 000002
【図２】
0005892163.tif 000003
【図３】
0005892163.tif 000004
【図４】
0005892163.tif 000005
【図５】
0005892163.tif 000006
【図６】
0005892163.tif 000007
【図７】
0005892163.tif 000008
【図８】
0005892163.tif 000009
【図９】
0005892163.tif 000010
【図１０】
0005892163.tif 000011
【図１１】
0005892163.tif 000012
【図１２】
0005892163.tif 000013
【図１３】
0005892163.tif 000014